(57)【要約】【課題】  遊技者等が身体を痛めることがなく、運搬作業時間の短縮や作業の簡素化を図ることのできる遊技球用収納ケースを提供する。【解決手段】  ケース１と、ケース１に支持された走行車輪２０中、一の走行車輪２０Ａを制動する制動機構３０とを備え、ケース１を、遊技球貯留板２と、遊技球貯留板２の垂下方向に離れて位置するケース本体５と、遊技球貯留板２とケース本体５間に形成される制動機構用の収納空間１７とから構成し、ケース１からフランジ部１０を突出させてその上方には貫通孔４を穿孔し、ケース本体５の下部両側に複数の凹部６を形成して各凹部６に走行車輪２０を軸支させる。また、制動機構３０を、一の走行車輪２０Ａの制動溝２３に係止する制動爪３１と、制動爪３１と収納空間１７のフランジ部１０に接続されるワイヤ体３２と、ワイヤ体３２を緊張させるプーリ３３と、このワイヤ体３２の上端部に圧接する手押しハンドル３４とから構成する。【選択図】  図２
2006230811.tif 000002
【特許請求の範囲】
【請求項１】
上面の開口したケースと、このケースの下部に回転可能に支持された複数の走行車輪のうち、少なくとも一の走行車輪を制動する制動機構とを含んでなる遊技球用収納ケースであって、
ケースを、断面略逆ハット形の遊技球貯留部と、この遊技球貯留部の垂下方向に離れて位置するトップオープンボックスタイプのケース本体と、これら遊技球貯留部とケース本体との間に形成される制動機構用の収納空間とから構成し、ケースの上端部から略水平方向に伸びるフランジ部を突出させてその上方には収納空間に連なる貫通孔を設け、ケース本体の下部両側に凹部をそれぞれ形成して各凹部には走行車輪を支持させ、
複数の走行車輪のうち、少なくとも一の走行車輪を有底筒形に形成してその内周面には制動溝を形成し、
制動機構を、ケースの凹部を形成する壁面に回転可能に支持されて少なくとも一の走行車輪の内部に挿入され、この走行車輪の制動溝に干渉する制動片と、この制動片とケースの収納空間内におけるフランジ部とに接続される線条体と、ケースの収納空間に回転可能に支持され、線条体に巻き付くことにより線条体を緊張させてその方向を変更する複数のプーリと、フランジ部上方の貫通孔に挿し通されて緊張している線条体の端部に圧力作用状態で接触する着脱自在の解除力伝達体とから構成し、
線条体の端部に解除力伝達体が圧力作用状態で接触する場合には、線条体が引かれることにより、少なくとも一の走行車輪の制動溝から制動片を離隔させて走行車輪を回転可能とし、線条体の端部に解除力伝達体が圧力作用状態で接触しない場合には、少なくとも一の走行車輪の制動溝に制動片を干渉させて走行車輪の回転を規制するようにしたことを特徴とする遊技球用収納ケース。
【請求項２】
ケースの両側壁上部に、他の遊技球用収納ケースの走行車輪を載置する載置部をそれぞれ設けた請求項１記載の遊技球用収納ケース。
【請求項３】
解除力伝達体を手押しハンドルとした請求項１又は２記載の遊技球用収納ケース。
【発明の詳細な説明】
【技術分野】
【０００１】
本発明は、パチンコ遊技機に代表される遊技機から賞球として払い出された遊技球を収納する遊技球用収納ケースの改良に関するものである。
【背景技術】
【０００２】
パチンコ遊技機５０により遊技して入賞が得られる場合には図８や図９に示すように、受皿５１に所定の数の遊技球Ｐが賞球として払い出されるが、この払い出された遊技球Ｐは、受皿５１の排出ボタン５２が押圧操作され、受皿５１の底の一部が球抜き口として開口することにより、ドル箱と呼ばれる下方のケース１Ａ内に多数排出される。
【０００３】
ケース１Ａは、図１０に示すように、上面の開口した半透明のトップオープンボックス構造に成形され、周壁の上部周縁から握持操作用のフランジ５３が水平外方向に突出しており、多数の遊技球（例えば、２０００〜２５００球）Ｐを収納する（特許文献１参照）。
【特許文献１】特開平１０‐２１７９７６号公報
【発明の開示】
【発明が解決しようとする課題】
【０００４】
ドル箱と呼ばれる従来のケース１Ａは、以上のように、払い出された多数の遊技球Ｐを収納し、遊技者やホールの係員により持ち上げられた状態で運搬されるが、多数の遊技球Ｐの収納により重量が増大するので、遊技者や係員の運搬に支障を来たし、しかも、場合によっては、これらの者が腰や関節等を痛めるという問題がある。
【０００５】
このような問題の解消に際しては、専用の台車にケース１Ａを載せて運搬するという方法が考えられるが、この場合には、専用の台車をわざわざ足元まで運んで来なければならないので、運搬作業に予想外の時間がかかる他、運搬作業の煩雑化を招くという大きな問題が新たに発生することとなる。
【０００６】
本発明は上記に鑑みなされたもので、身体を痛めることがなく、運搬作業時間の短縮や作業の簡素化を図ることのできる遊技球用収納ケースを提供することを目的としている。
【課題を解決するための手段】
【０００７】
本発明においては上記課題を解決するため、上面の開口したケースと、このケースの下部に回転可能に支持された複数の走行車輪のうち、少なくとも一の走行車輪を制動する制動機構とを含んでなるものであって、
ケースを、断面略逆ハット形の遊技球貯留部と、この遊技球貯留部の垂下方向（略垂直方向に下がる方向）に離れて位置するトップオープンボックスタイプのケース本体と、これら遊技球貯留部とケース本体との間に形成される制動機構用の収納空間とから構成し、ケースの上端部から略水平方向に伸びるフランジ部を突出させてその上方には収納空間に連なる貫通孔を設け、ケース本体の下部両側に凹部をそれぞれ形成して各凹部には走行車輪を支持させ、
複数の走行車輪のうち、少なくとも一の走行車輪を有底筒形に形成してその内周面には制動溝を形成し、
制動機構を、ケースの凹部を形成する壁面に回転可能に支持されて少なくとも一の走行車輪の内部に挿入され、この走行車輪の制動溝に干渉する制動片と、この制動片とケースの収納空間内におけるフランジ部とに接続される線条体と、ケースの収納空間に回転可能に支持され、線条体に巻き付くことにより線条体を緊張させてその方向を変更する複数のプーリと、フランジ部上方の貫通孔に挿し通されて緊張している線条体の端部に圧力作用状態で接触する着脱自在の解除力伝達体とから構成し、
線条体の端部に解除力伝達体が圧力作用状態で接触する場合には、線条体が引かれることにより、少なくとも一の走行車輪の制動溝から制動片を離隔（離れ隔てる）させて走行車輪を回転可能とし、線条体の端部に解除力伝達体が圧力作用状態で接触しない場合には、少なくとも一の走行車輪の制動溝に制動片を干渉させて走行車輪の回転を規制するようにしたことを特徴としている。
【０００８】
なお、ケースの両側壁上部に、他の遊技球用収納ケースの走行車輪を載置する載置部をそれぞれ設けることが好ましい。
また、解除力伝達体を手押しハンドルとすることが好ましい。
【０００９】
ここで、特許請求の範囲におけるケースは、透明、不透明、半透明のいずれでも良い。このケースは、上下方向に積層可能なことが好ましいが、そうでなくても良い。また、制動機構の制動片は単数複数いずれでも良い。線条体としては、単数複数のワイヤ、リード線、ピアノ線等があげられる。
【発明の効果】
【００１０】
本発明によれば、ケースに複数の走行車輪を取り付けて走行可能としたので、重いケースを持ち上げて運搬する必要がない。したがって、身体を痛めることがなく、運搬作業時間の短縮や作業の簡素化を図ることができるという効果がある。また、走行車輪を制動する制動機構を線条体やプーリを使用する機構とすれば、例え制動片と解除力伝達体の間の距離が大きくても、歯車やカムを使用する場合に比べ、容易に構成することができるという効果がある。また、構成の簡素化やコスト削減を図ることもでき、静かな操作が期待できる。
【００１１】
また、ケースの両側壁上部に、他の遊技球用収納ケースの走行車輪を載置する載置部をそれぞれ設ければ、複数の遊技球用収納ケースを上下方向に積み重ねる際、載置部に上方の遊技球用収納ケースの走行車輪を搭載支持させることができ、これを通じて姿勢の安定化を図ることができる。
さらに、解除力伝達体が手押しハンドルの場合、この手押しハンドルをケースの貫通孔を介しセットし、この手押しハンドルを押すようにすれば、ケースが走行するので、ケースを一般的な手押し車のように簡単に移動させることができる。
【発明を実施するための最良の形態】
【００１２】
以下、図面を参照して本発明の好ましい実施の形態を説明すると、本実施形態における遊技球用収納ケースは、図１ないし図６に示すように、上面の開口したトップオープンボックスタイプで横長のケース１と、このケース１の下部に軸支された複数の走行車輪２０と、この複数の走行車輪２０中、一の走行車輪２０Ａを制動する制動機構３０とを備え、上下方向に複数個が積層可能に構成される。
【００１３】
ケース１は、図２や図３に示すように、多数の遊技球Ｐを貯える横長の遊技球貯留板２と、この遊技球貯留板２の垂下方向に離れて位置するトップオープンボックスタイプで横長のケース本体５と、制動機構３０用の収納空間１７とから構成される。遊技球貯留板２は、例えば剛性や耐衝撃性等に優れるＡＢＳ樹脂やＰＣ等からなる所定の合成樹脂を使用して断面略逆ハット形の半透明に成形され、その屈曲した短い前後の両端部３には、収納空間１７に連通する一対の貫通孔４がケース１の側方（図２の奥方向、図４の上下方向）に間隔をおいて穿孔される。
【００１４】
ケース本体５は、図１や図２に示すように、例えばＡＢＳ樹脂やＰＣ等からなる所定の合成樹脂を使用して半透明に成形され、下部両側には図３に示すように、走行車輪２０を回転可能に軸支する複数の凹部６が凹み成形されるとともに、断面略逆ハット形を呈した遊技球貯留板２の凸部分を一体的に内蔵してトップオープンボックスとなる遊技球用の貯留空間７を区画しており、この貯留空間７に多数の遊技球Ｐを収納する（図１参照）。
【００１５】
ケース本体５は、その両側壁の内面上部に、遊技球用収納ケース１が積層される場合にその走行車輪２０を載置する複数の載置フランジ８がそれぞれ断面Ｌ字形に成形され、この載置フランジ８の下方には、上下方向に伸びる複数の補強リブ９が並べて一体成形される（図２、図３参照）。このケース本体５の両端壁の上端部からは断面Ｌ字形のフランジ部１０がそれぞれ水平外方向に突出して一対の貫通孔４の下方に隙間をおいて位置し、一対のフランジ部１０の上端間には、遊技球貯留板２の両端部３が一体的に載架される。
【００１６】
複数（本実施形態では４個）の凹部６は、ケース本体５の下部両側における四隅部に間隔をおいて配設される。各凹部６は、図３に示すように、ケース本体５の底板５ａから垂直上方に伸びる内壁１１と、ケース本体５の側壁下方を形成して内壁１１に隙間をおいて対向する外壁１２と、これら内壁１１と外壁１２とを接続して走行車輪２０の上部を被覆する略半円弧形の接続板１３とから構成される。
【００１７】
各凹部６の内壁１１には、ケース本体５の外壁１２方向に伸びて走行車輪２０を軸支する車軸１４が水平に挿着され、外壁１２には、内壁１１方向に伸びる支持軸１５が水平に挿着されており、接続板１３の上部には、制動機構３０用の連通孔１６が穿孔される。
【００１８】
収納空間１７は、図２に示すように、遊技球貯留板２とケース本体５との間に断面略逆ハット形の横長に区画される。この収納空間１７内のフランジ部１０には、ケース１の側方の壁面に位置する制動機構３０用の止め具１８が装着される。
【００１９】
複数の走行車輪（本実施形態では４個）２０は、それぞれ有底筒形に形成され、その底部２１が凹部６の車軸１４に貫通支持されており、外周壁２２がホールの床や載置フランジ８に回転可能に接触する。この複数の走行車輪２０中、一の走行車輪２０Ａの内周面には図２に示すように、制動機構３０に干渉される制動溝２３が周方向に切り欠かれる。この制動溝２３は、例えば大小複数の扇が一の走行車輪２０Ａの半径外方向に一体化した形に形成される。
【００２０】
制動機構３０は、一の走行車輪２０Ａの制動溝２３に干渉する一対の制動爪３１と、この一対の制動爪３１とフランジ部１０の止め具１８間に線条体として張架されるワイヤ体３２と、このワイヤ体３２に巻回される複数のプーリ３３と、ワイヤ体３２に解除力伝達体として圧接する手押しハンドル３４とから構成される。
【００２１】
一対の制動爪３１は、それぞれ所定の金属や合成樹脂を使用して重い針形に形成され、凹部６の外壁１２に支持軸１５を介して軸支されており、一の走行車輪２０Ａの内部に挿入されるとともに、点Ｐを支点にそれぞれ同期して上下方向に回転（揺動）するよう機能する。この一対の制動爪３１は、下方に回転して制動溝２３内の両端に係止し、一の走行車輪２０Ａを制動したり、あるいは上方に回転して制動溝２３から離れ、一の走行車輪２０Ａに対する制動を解除する。
【００２２】
ワイヤ体３２は、例えば２本のワイヤが縒り合わされることにより形成され、この２本のワイヤの下端部が二股に分かれて一対の制動爪３１にそれぞれ接続されており、接続板１３の連通孔１６と収納空間１７を経由してフランジ部１０の止め具１８に接続される。このワイヤ体３２の上端部は、遊技球貯留板２の端部３とケース本体５のフランジ部１０との間に浮いた状態に介在され、遊技球貯留板２の端部３に穿孔された一の貫通孔４の下方に位置する。
【００２３】
複数のプーリ３３は、収納空間１７内におけるケース本体５の側壁内面に保持具を介し自由回転可能に軸支され、巻回したワイヤ体３２を緊張させるとともに、このワイヤ体３２を略倒Ｚ字形に屈曲させてその方向を変更するよう機能する。この複数のプーリ３３は、フランジ部１０や止め具１８の近傍、遊技球貯留板２の底隅近傍、及び連通孔１６の上方に配設される。各プーリ３３と保持具の間には、図示しない捩りコイルバネが介在され、この捩りコイルバネのバネ作用により、プーリ３３が回転して制動溝２３に一対の制動爪３１を係止させる。
【００２４】
手押しハンドル３４は、図５や図６に示すように、剛性を有する樹脂や金属等を使用して逆Ｕ字形に形成され、ホールの係員や遊技者により一対の貫通孔４に着脱自在に挿入されて緊張したワイヤ体３２の端部に圧接し、制動溝２３から一対の制動爪３１を離隔させる。この手押しハンドル３４を形成する一対のバー３５は、それぞれ断面円形に形成されるとともに、同一の長さではなく相互に異なる長さに形成され、第三者の不正や製造時の模倣を困難化する。
【００２５】
各バー３５は、貫通孔４に挿入されてワイヤ体３２に上方から圧接する短い下部バー３６と、この下部バー３６の圧接する下端部とは反対側の上端部に接続されて水平外方向に伸びる屈曲バー３７と、この屈曲バー３７の伸長方向側の端部に接続されて上方に伸びる長い上部バー３８とから側面視略倒Ｚ字形に形成され、複数の遊技球用収納ケース１が上下方向に積層される際、上方の遊技球用収納ケース１の端部３等に接触して障害物になるのを回避する。
【００２６】
このような構成の手押しハンドル３４は、図２に示すように、止め具１８に接続される側となる緊張したワイヤ体３２の上端部に貫通孔４を介して上方から圧接する場合には、一対の制動爪３１に圧接時の圧力を制動の解除力としてワイヤ体３２を介し伝達し、貫通孔４を介してワイヤ体３２の上端部に圧接しない場合には、一対の制動爪３１に解除力を伝達せず、捩りコイルバネのバネ作用により制動溝２３に一対の制動爪３１を係止させる。
【００２７】
上記構成において、多数の遊技球Ｐを収納した制動状態の遊技球用収納ケース１を運搬したい場合には、床に遊技球用収納ケース１を置き、この遊技球用収納ケース１の一対の貫通孔４に備え付けの手押しハンドル３４の下部バー３６を貫通孔４に向けて上方から挿入し、緊張したワイヤ体３２の上端部に手押しハンドル３４を圧接すれば良い。
【００２８】
すると、ワイヤ体３２が一部屈曲して引かれるとともに、一対の制動爪３１に圧力が制動の解除力として伝達され、一の走行車輪２０Ａの制動溝２３から一対の制動爪３１が上方に離れて一の走行車輪２０Ａに対する制動を解除する。この制動の解除状態を維持したまま、手押しハンドル３４を押すようにすれば、遊技球用収納ケース１を手押し車のように簡単に走行移動させることができる。
【００２９】
これに対し、遊技球用収納ケース１を固定したい場合には、遊技球用収納ケース１の一対の貫通孔４から手押しハンドル３４の下部バー３６を抜き取れば良い。
すると、捩りコイルバネのバネ作用により各プーリ３３が回転して一部屈曲したワイヤ体３２を元の緊張状態に復帰させ、一の走行車輪２０Ａの制動溝２３に一対の制動爪３１が係止して制動するので、遊技球用収納ケース１の走行移動を規制することができる。
【００３０】
上記によれば、遊技球用収納ケース１に走行機能を付与したので、例え多数の遊技球の収納により遊技球用収納ケース１の重量が増大しても、遊技者や係員の運搬に支障を来たすことが全くなく、これらの者が腰や関節等を痛めることもない。また、専用の台車をわざわざ足元まで運んで来る必要もないので、運搬作業の著しい円滑化、簡素化、迅速化、容易化を図ることができる。
【００３１】
また、遊技球用収納ケース１の一対の貫通孔４に手押しハンドル３４の下部バー３６をそれぞれ挿入するので、手押しバー３５が回転することなく姿勢が安定し、手押し作業の容易化を図ることができる。さらに、手押しハンドル３４を形成する一対のバー３５の長さが異なり、遊技者や係員の注意力を喚起することができるので、ワイヤ体３２の上端部上方に位置する一の貫通孔４を見誤ることもない。
【００３２】
なお、上記実施形態では両側壁の内面上部に、他の遊技球用収納ケース１の走行車輪２０を載置する載置フランジ８をそれぞれ断面Ｌ字形に成形したが、何らこれに限定されるものではない。例えば、両側壁の外面上部に、載置フランジ８をそれぞれ成形しても良い。また、一の走行車輪２０Ａ以外の走行車輪２０を円柱形に形成しても良いし、各走行車輪２０にゴムタイヤを嵌合しても良い。
【００３３】
また、一の走行車輪２０Ａのみを制動機構３０により制動するのではなく、各走行車輪２０を制動機構３０により制動しても良い。また、制動爪３１を略へ字形に形成して凹部６の外壁１２に支持軸１５を介し回転可能に軸支させることもできる。また、遊技球用収納ケース１を運搬しない場合には、遊技球用収納ケース１の一対の貫通孔４に図７に示すキャップ４０を着脱自在に嵌入し、手押しハンドル３４の挿入を規制して安全を確保することもできる。さらに、貫通孔４や手押しハンドル３４の各バー３５を断面矩形等に形成することもできる。
【図面の簡単な説明】
【００３４】
【図１】本発明に係る遊技球用収納ケースの実施形態を示す全体説明図である。
【図２】本発明に係る遊技球用収納ケースの実施形態を示す一部断面説明図である。
【図３】本発明に係る遊技球用収納ケースの実施形態を示すＩＩＩ‐ＩＩＩ線断面図である。
【図４】本発明に係る遊技球用収納ケースの実施形態を示す断面平面説明図である。
【図５】本発明に係る遊技球用収納ケースの実施形態における手押しハンドルを示す正面説明図である。
【図６】本発明に係る遊技球用収納ケースの実施形態における手押しハンドルを示す側面説明図である。
【図７】本発明に係る遊技球用収納ケースの他の実施形態におけるキャップを示す部分断面説明図である。
【図８】遊技機を示す正面説明図である。
【図９】遊技機の受皿とケースの関係を示す斜視説明図である。
【図１０】従来のケースを示す斜視説明図である。
【符号の説明】
【００３５】
１          ケース
２          遊技球貯留板（遊技球貯留部）
４          貫通孔
５          ケース本体
６          凹部
７          貯留空間
８          載置フランジ（載置部）
１０        フランジ部
１１        内壁
１２        外壁（壁面）
１３        接続板
１６        連通孔
１７        収納空間
２０        走行車輪
２０Ａ      一の走行車輪
２３        制動溝
３０        制動機構
３１        制動爪（制動片）
３２        ワイヤ体（線条体）
３３        プーリ
３４        手押しハンドル（解除力伝達体）
３５        バー
３６        下部バー
３７        屈曲バー
３８        上部バー
５０        パチンコ遊技機
５１        受皿
Ｐ          遊技球
【図１】
2006230811.tif 000003
【図２】
2006230811.tif 000004
【図３】
2006230811.tif 000005
【図４】
2006230811.tif 000006
【図５】
2006230811.tif 000007
【図６】
2006230811.tif 000008
【図７】
2006230811.tif 000009
【図８】
2006230811.tif 000010
【図９】
2006230811.tif 000011
【図１０】
2006230811.tif 000012